(57)【要約】 【課題】 大規模災害等により、地上系通信ネットワークの障害や輻輳が発生しても、一般的な地上系の携帯端末が衛星通信システムを利用してすみやかに通信を再開する。【解決手段】地球局装置は、地上系ネットワークのトラフィックの状況と複数の衛星通信システムの空き衛星回線量を監視し、地上系ネットワークに障害が発生した場合、複数の衛星通信システムの中から地上系ネットワークにより通信する端末の要求する回線量のうち優先度の高い回線量以上の空き回線量を有する衛星通信システムを検索し、前記優先度の高い回線量を前記検索した衛星通信システムの空き衛星回線を使用して通信できるようにする。【選択図】図１
2015195531.tif 000002
【特許請求の範囲】
【請求項１】
衛星回線を介して端末装置が通信する衛星通信システムにおける地球局装置であって、
前記端末装置が地上系ネットワークを介して通信するための地上系ネットワーク部と、
前記端末装置が前記衛星通信システムにより通信するための衛星系ネットワーク部と、
前記地上系ネットワーク部と前記衛星系ネットワーク部とを切替えるための地上系・衛星系切替部と、
前記地上系ネットワークのトラフィックの状況と前記衛星通信システムの空き衛星回線量を監視し、前記地上系・衛星系切替部を制御する地上系・衛星系監視制御部とを備え、
前記地上系・衛星系監視制御部は、前記地上系ネットワークに障害が発生した場合、
前記地上系・衛星系切替部に指示を行い、
前記地上系ネットワーク部により地上系ネットワークを介して通信する前記端末装置の要求する回線量を前記衛星系ネットワーク部により空き衛星回線を使用して通信できるようにすることを特徴とする地球局装置。
【請求項２】
請求項１記載の地球局装置であって、
前記地上系・衛星系監視制御部は、前記地上系ネットワークに障害が発生し前記地上系・衛星系切替部に指示を行う場合において、
前記衛星通信システムの前記空き衛星回線量が、前記地上系ネットワーク部により前記地上系ネットワークを介して通信する前記端末装置の要求する回線量より少なければ、
前記端末装置の要求する回線量のうち優先度の高い回線量を前記空き衛星回線を使用して通信できるようにすることを特徴とする地球局装置。
【請求項３】
請求項２記載の地球局装置であって、
前記地上系・衛星系監視制御部は、前記地上系ネットワークに障害が発生し前記地上系・衛星系切替部に指示を行う場合において、
前記前記衛星通信システムを含む通信可能な複数の衛星通信システムが存在し、前記衛星通信システム以外の衛星通信システムを検索し、空き衛星回線量が前記端末装置の要求する回線量以上である衛星通信システムが存在せず、
かつ、空き衛星回線量が前記端末装置の要求する回線量のうち優先度の高い回線量以上である衛星通信システムが存在すれば、
前記端末装置の要求する回線量のうち優先度の高い回線量を当該優先度の高い回線量以上である衛星通信システムの空き衛星回線を使用して通信できるようにすることを特徴とする地球局装置。
【発明の詳細な説明】
【技術分野】
【０００１】
本発明は、大規模災害等により、地上系通信ネットワークの障害や輻輳が発生し、長期間にわたり通信が不能になる状況を救済するため、複数の衛星通信システムの中から地上系と衛星系双方の通信状態や呼の優先度等に応じて、衛星通信システムを効率良く選択して接続可能とする技術に関する。
【背景技術】
【０００２】
衛星通信システムは、１つの制御地球局（以下、ハブと称す）と複数の地球局が衛星中継局を経由して通信を行い、各地球局に接続された端末間で通信できる構成をとっている（特許文献１）。一方、携帯電話やパソコンといった地上系の端末は光ファイバ回線や無線ＬＡＮといった地上系通信ネットワークを経由して通信を行っている。このため、大規模災害等により、地上系通信ネットワークの障害や輻輳が発生した場合、VSAT（Very Small Aperture Terminal）のような地球局を用意できるまで待ったうえで通信を再開する必要があった。
【０００３】
そこで、一つの携帯端末が地上系システムと衛星系システムのどちらにも接続可能なシステムであり、各システムが共通の周波数帯上で稼働する地上／衛星共用携帯電話システムとその相互干渉軽減方法に関する発明がある（特許文献２）。
【先行技術文献】
【特許文献】
【０００４】
【特許文献１】特許第3587110号公報
【特許文献２】特許第5396637号公報
【発明の概要】
【発明が解決しようとする課題】
【０００５】
しかしながら、特許文献２の地上／衛星共用携帯電話システムでは携帯端末に地上／衛星共用機能を付加する必要があり、一般的な地上系の携帯端末では対応できず、救済できる呼が限定される。
【０００６】
本発明は、こうした課題に鑑みてなされたものであり、その目的は、大規模災害等により、地上系通信ネットワークの障害や輻輳が発生しても、一般的な地上系の携帯端末が衛星通信システムを利用してすみやかに通信を再開できる技術を提供することにある。
【課題を解決するための手段】
【０００７】
上記課題を解決するために、本発明の第１の態様は、
衛星回線を介して端末装置が通信する衛星通信システムにおける地球局装置であって、
前記端末装置が地上系ネットワークを介して通信するための地上系ネットワーク部と、
前記端末装置が前記衛星通信システムにより通信するための衛星系ネットワーク部と、
前記地上系ネットワーク部と前記衛星系ネットワーク部とを切替えるための地上系・衛星系切替部と、
前記地上系ネットワークのトラフィックの状況と前記衛星通信システムの空き衛星回線量を監視し、前記地上系・衛星系切替部を制御する地上系・衛星系監視制御部とを備え、
前記地上系・衛星系監視制御部は、前記地上系ネットワークに障害が発生した場合、
前記地上系・衛星系切替部に指示を行い、
前記地上系ネットワーク部により地上系ネットワークを介して通信する前記端末装置の要求する回線量を前記衛星系ネットワーク部により空き衛星回線を使用して通信できるようにすることを特徴とする。
【０００８】
本発明の第２の態様は、本発明の第１の態様の地球局装置であって、
前記地上系・衛星系監視制御部は、前記地上系ネットワークに障害が発生し前記地上系・衛星系切替部に指示を行う場合において、
前記衛星通信システムの前記空き衛星回線量が、前記地上系ネットワーク部により前記地上系ネットワークを介して通信する前記端末装置の要求する回線量より少なければ、
前記端末装置の要求する回線量のうち優先度の高い回線量を前記空き衛星回線を使用して通信できるようにすることを特徴とする。
【０００９】
本発明の第３の態様は、本発明の第２の態様の地球局装置であって、
前記地上系・衛星系監視制御部は、前記地上系ネットワークに障害が発生し前記地上系・衛星系切替部に指示を行う場合において、
前記衛星通信システムを含む通信可能な複数の衛星通信システムが存在し、前記衛星通信システム以外の衛星通信システムを検索し、空き衛星回線量が前記端末装置の要求する回線量以上である衛星通信システムが存在せず、
かつ、空き衛星回線量が前記端末装置の要求する回線量のうち優先度の高い回線量以上である衛星通信システムが存在すれば、
前記端末装置の要求する回線量のうち優先度の高い回線量を当該優先度の高い回線量以上である衛星通信システムの空き衛星回線を使用して通信できるようにすることを特徴とする。
【発明の効果】
【００１０】
本発明によれば、大規模災害等により、地上系通信ネットワークの障害や輻輳が発生しても、一般的な地上系の携帯端末が衛星通信システムを利用してすみやかに通信を再開できる。
【図面の簡単な説明】
【００１１】
【図１】本発明のシステムの全体構成図である。
【図２】地上系・衛星系監視制御部の構成図である。
【図３】地上系ネットワークの被災時におけるマルチモードＶＳＡＴ１と衛星系端末５０−１〜５０−ｎと地上系端末５１−１〜５１−ｍの動作シーケンス図である。
【図４】地上系ネットワークの復旧時におけるマルチモードＶＳＡＴ１と衛星系端末５０−１〜５０−ｎと地上系端末５１−１〜５１−ｍの動作シーケンス図である。
【図５】マッチング処理（ステップ１１６）の動作シーケンス図である。
【図６】地上系ネットワークシステムの被災時の動作シーケンスの信号構成図である。
【図７】地上系ネットワークシステムの復旧時の動作シーケンスの信号構成図である。
【図８】マッチングＤＢ内の情報を示す図である。
【発明を実施するための形態】
【００１２】
以下、本発明の実施例について、図面を参照して説明する。
【実施例】
【００１３】
図１は、本発明のシステムの全体構成図である。当該システムには、通信衛星２ａと制御地球局であるハブ３ａと地球局であるＶＳＡＴ４ａで構成される衛星通信システムＡと、通信衛星２ｂと制御地球局であるハブ３ｂと地球局であるＶＳＡＴ４ｂで構成される衛星通信システムＢとが存在し、衛星通信システムＸまで存在するものであり、例えばEsBirdシステムや自治体衛星通信機構（LASCOM）の地域衛星通信ネットワークシステムを含むものである。ここで、衛星通信システムの数は特に限定はなく、一つの衛星通信システムには複数のＶＳＡＴと通信可能なものであり、ＶＳＡＴ４ａ、ＶＳＡＴ４ｂ乃至ＶＳＡＴ４ｘはそれぞれ複数存在してもよい。また、ＶＳＡＴは小型地球局であるが、これに限らず衛星通信システムにおいて通信衛星を経由して他の地球局と無線通信できる地球局であればよく、ここでは地球局の１つとしてＶＳＡＴにより説明するものである。衛星通信システムＡとマルチモードＶＳＡＴ１やＶＳＡＴ４ａとの間の衛星回線を衛星回線Ａ、衛星通信システムＢとマルチモードＶＳＡＴ１やＶＳＡＴ４ｂとの間の衛星回線を衛星回線Ｂ、衛星通信システムＸとマルチモードＶＳＡＴ１やＶＳＡＴ４ｘとの間の衛星回線を衛星回線Ｘと称することとする。
【００１４】
そして、前記複数の衛星通信システムＡとＢ乃至Ｘと後述する地上系ネットワーク９と接続可能なマルチモードＶＳＡＴ１と、後述する衛星系端末ゲートウェイ６０を介してマルチモードＶＳＡＴ１と接続する衛星系端末５０−１〜５０−ｎと、後述する地上系端末ゲートウェイ６１を介してマルチモードＶＳＡＴ１と接続する地上系端末５１−１〜５１−ｍと、後述する端末ゲートウェイ６ａを介してＶＳＡＴ４ａと接続する端末５ａ−１〜５ａ−ｐと、後述する端末ゲートウェイ６ｂを介してＶＳＡＴ４ｂと接続する端末５ｂ−１〜５ｂ−ｑと、後述する端末ゲートウェイ６ｘを介してＶＳＡＴ４ｘと接続する端末５ｘ−１〜５ｘ−ｒと、前記衛星系端末５０−１〜５０−ｎの集線を行う衛星系端末ゲートウェイ６０と、前記地上系端末５１−１〜５１−ｍの集線を行う地上系端末ゲートウェイ６１と、前記端末５ａ−１〜５ａ−ｐの集線を行う端末ゲートウェイ６ａと、前記端末５ｂ−１〜５ｂ−ｑの集線を行う端末ゲートウェイ６ｂと、前記端末５ｘ−１〜５ｘ−ｒの集線を行う端末ゲートウェイ６ｘと、ＶＳＡＴ４ａと通信衛星２ａとが無線通信するための衛星アンテナ７ａと、ＶＳＡＴ４ｂと通信衛星２ｂとが無線通信するための衛星アンテナ７ｂと、ＶＳＡＴ４ｘと通信衛星２ｘとが無線通信するための衛星アンテナ７ｘと、ハブ３ａと通信衛星２ａとが無線通信するための衛星アンテナ８ａと、ハブ３ｂと通信衛星２ｂとが無線通信するための衛星アンテナ８ｂと、ハブ３ｘと通信衛星２ｘとが無線通信するための衛星アンテナ８ｘと、携帯電話網、ＬＴＥ、ＷｉＦｉ、光ファイバ等の固定通信など地上に通信設備が存在するものであって端末間の通信のための設備である地上系ネットワーク９から構成される。なお、衛星系端末５０−１〜５０−ｎ、地上系端末５１−１〜５１−ｍ、端末５ａ−１〜５ａ−ｐ、端末５ｂ−１〜５ｂ−ｑ、端末５ｘ−１〜５ｘ−ｒはその数に制限や条件は特になく、地上系ネットワーク９についても、異なる種類で複数のネットワークで構成されてもよいものとする。
【００１５】
なお、前記衛星系端末、地上系端末、端末と称しているものはいずれも、携帯電話、携帯通信端末、パソコン等の通信機能を有する一般的な端末であり機能的に異なるものではなく、衛星系および地上系と称しているのは、災害等が発生していない通常の通信における形態を意味するものである。
【００１６】
Ｒａ−１〜Ｒａ−４は通常時の衛星系の通信経路、Ｒａ−５〜Ｒａ−７は通常時の地上系の通信経路であり、Ｒｂ−１〜Ｒｂ−５は被災時の衛星系の通信経路であり、Ｒａ−１はマルチモードＶＳＡＴ１と通信衛星２ａとの間の無線通信路、Ｒａ−２は衛星アンテナ７ａと通信衛星２ａとの間の無線通信路、Ｒａ−３は衛星アンテナ８ａと通信衛星２ａとの間の無線通信路、Ｒａ−４はマルチモードＶＳＡＴ１と衛星系ゲートウェイ６０との間の通信路、Ｒａ−５はマルチモードＶＳＡＴ１と地上系端末ゲートウェイ６１との間の通信路、Ｒａ−６はＶＳＡＴ１と地上系ネットワーク９との間の無線通信路又は光ファイバや同軸ケーブル等の有線通信路、Ｒａ−７は端末５ｂ−１〜５ｂ−ｑと地上系ネットワーク９との間の無線通信路又は光ファイバや同軸ケーブル等の有線通信路、Ｒｂ−１はマルチモードＶＳＡＴ１と通信衛星２ｂとの間の無線通信路、Ｒｂ−２は衛星アンテナ７ｂと通信衛星２ｂとの間の無線通信路、Ｒｂ−３は衛星アンテナ８ｂと通信衛星２ｂとの間の無線通信路、Ｒｂ−４はマルチモードＶＳＡＴ１と地上系端末ゲートウェイ６１との間の通信路、Ｒｂ−５は端末５ｂ−１〜５ｂ−ｑと端末ゲートウェイ６ｂとの間の通信路を示すものである。
【００１７】
マルチモードＶＳＡＴ１は、通信衛星２ａと通信衛星２ｂ乃至通信衛星２ｘと通信する衛星系ネットワーク部１１と、地上系ネットワーク９と通信を行う地上系ネットワーク部１２と、地上系ネットワーク部１１と衛星系ネットワーク部１２からの通信状態や呼の優先度の情報を監視し、地上系ネットワーク９や衛星通信システムＡ，Ｂ乃至Ｘの切替等の制御を行う地上系・衛星系監視制御部１３と、前記地上系・衛星系監視制御部１３からの指示に基づき、衛星系端末ゲートウェイ６０及び地上系端末ゲートウェイ６１で集線された情報を衛星系ネットワーク部１１か地上系ネットワーク部１２のいずれかに切替を行う地上系・衛星系切替部１４から構成される。
【００１８】
衛星系ネットワーク部１１は、地上系ネットワークのプロトコルと衛星系ネットワークのプロトコルやルーチング情報の変換を行うデータ伝送アダプタ１１１と、通信衛星との通信における変復調と符号化・復号化を行う通信用モデム１１２と、通信衛星２ａ〜２ｘと無線通信を行う衛星アンテナ１１３と、衛星アンテナ１１３の方向を目標の通信衛星に向ける制御を行うアンテナ制御部１１４と、制御地球局であるハブ３ａ〜３ｋと対向して回線制御情報を授受し、データ伝送アダプタ１１１と通信用モデム１１２とアンテナ制御部１１４の回線設定制御を行う衛星回線制御部１１５から構成される。
【００１９】
地上系ネットワーク部１２は、地上系ネットワーク９と無線通信を行うためのアンテナ１２１と当該無線通信における変復調と符号化・復号化を行ったりプロトコル処理やルーチングを行う地上系ネットワークインタフェース部１２２と、地上系ネットワークインタフェース部１２２の回線設定制御を行う地上系回線制御部１２３から構成される。ここで、地上系ネットワーク９との通信はアンテナ１２１を経由した無線通信としているが、これに限らず地上系ネットワークが光ファイバ等の固定通信であれば地上系ネットワーク９との間はアンテナ１２１ではなく光ファイバや同軸ケーブル等の有線による通信としてもよい。
【００２０】
図２は、図１に示した地上系・衛星系監視制御部１３の構成図である。当該地上系・衛星系監視制御部１３は、地上系ネットワーク９や衛星通信システムＡ，Ｂ乃至Ｘの切替等の制御に必要となる空き衛星回線量情報１３１−１と地上系トラフィック情報１３１−２とマッチング結果情報１３１−３を格納するマッチングＤＢ（データベース）１３１と、衛星系ネットワーク部１１から衛星通信システムＡ、Ｂ乃至Ｘの空き衛星回線量情報を受信し、マッチングＤＢ１３１に記憶処理する空き衛星回線量情報収集・記憶処理部１３２と、地上系ネットワーク部１２から地上系回線障害情報を受信し、マッチングＤＢ１３１に記憶処理する地上系トラフィック情報収集・記憶処理部１３３と、空き衛星回線量情報１３１−１と地上系トラフィック情報１３１−２に基づきマッチング処理を行う１３４と前記マッチング処理部１３４によるマッチング結果情報１３１−３に基づき地上系ネットワーク９や衛星通信システムＡ，Ｂ乃至Ｘの切替等の制御を行う全体制御部１３５から構成される。
【００２１】
図３に地上系ネットワークの被災時におけるマルチモードＶＳＡＴ１と衛星系端末５０−１〜５０−ｎと地上系端末５１−１〜５１−ｍの動作シーケンスを示す。通常時は衛星系端末５０−１〜５０−ｎは衛星通信システムＡ（通信衛星２ａ、ハブ２ａ）を利用して通信路Ｒａ−４、Ｒａ−１，Ｒａ−２経由でＶＳＡＴ４ａと、地上系端末５１−１〜５１−ｍは地上系ネットワーク９を利用して通信路Ｒａ−５、Ｒａ−６、Ｒａ−７経由で端末５ｂ−１〜５ｂ−ｑと通信しているものとし、地上系端末５１−１〜５１−ｍは、地上系ネットワーク９が被災し通信が不能となると、マルチモードＶＳＡＴ１は複数の衛星通信システムの中から地上系と衛星系双方の通信状態や呼の優先度等に応じて、別の衛星通信システムを選択し、その結果衛星通信システムＢを選択し、通信を再開するシーケンスである。
【００２２】
通常時、衛星系端末５０−１〜５０−ｎは衛星系ネットワーク部１１を介して衛星通信システムＡを利用して端末５ａ−１〜５ａ−ｐと通信しており（ステップＳ１０１、Ｓ１０２）、また地上系端末５１−１〜５１−ｍは地上系ネットワーク部１２を介して地上系ネットワーク９を利用して端末５ｂ−１〜５ｂ−ｑと通信をしており（ステップＳ１０３、Ｓ１０４）、地上系・衛星系監視制御部１３内の地上系トラフィック情報収集・記憶部134及び空き衛星回線量情報収集・記憶処理部１３２は地上系・衛星系ネットワークの運用状況を定期的に監視している（ステップＳ１０５）。ここで、前記運用状況は例えばコグニティブルータで取得した運用状況を取得してもよい。
【００２３】
地上系ネットワーク９が被災し、通信が不能になると、地上系端末５１−１〜５１−ｍ及び地上系ネットワーク部１２は障害を検出し（ステップＳ１０６、Ｓ１０７）、地上系端末５１−１〜５１−ｍは呼を切断し（ステップＳ１０８）、地上系ネットワーク部１２内の地上系回線接続制御部１２１はマルチモードＶＳＡＴ１を非常災害モードに設定するとともに呼を切断し（ステップＳ１０９）、各地上回線の障害内容、時間帯、優先度、地上系ネットワークで生起するトラフィック量を含む地上系回線障害情報を送信する（ステップＳ１１０）。ここで、障害内容はあるＸ地区での地震、あるＹ地区での火災などの障害の内容、時間帯は障害の発生している期間での地上系端末呼を衛星回線に載せ替える時間帯、優先度は端末ごと又は呼ごとの接続の優先度、地上系で生起するトラフィック量は地上系ネットワークの障害中に生起する地上系端末のトラフィック量で例えば伝送帯域とその回線量である。
【００２４】
地上系・衛星系監視制御部１３内の地上系トラフィック情報収集・記憶処理部１３３は、前記地上系回線障害情報を受信するとマッチングＤＢ１３１内の地上系トラフィック情報１３１−２に記憶し（ステップＳ１１１）、全体制御部１３５は障害モードへの移行指示を送信する（ステップＳ１１２）。
【００２５】
衛星系ネットワーク部１１内の衛星系回線制御部１１３は、障害モードへの移行指示を受信すると（ステップＳ１１３），データ伝送アダプタ１１１と通信用モデム１１２と衛星アンテナ１１５を介して衛星通信システムＡ、Ｂ乃至Ｘの複数の衛星通信システムの空き衛星回線量情報を収集し、送信する（ステップＳ１１４）。
【００２６】
地上系・衛星系監視制御部１３内の空き衛星回線量情報収集・記憶処理部１３２は、前記空き衛星回線量情報を受信するとマッチングＤＢ１３１内の空き衛星回線量情報１３１−１に記憶し（ステップＳ１１５）、マッチング処理部１３３は地上系トラフィック情報１３１−３である各時間帯での地上系トラフィック及びその優先度と空き衛星回線量情報１３１−１に基づきマッチング処理を行い、その結果をマッチングＤＢ１３１内のマッチング結果情報１３１−２に記憶し（ステップＳ１１６）、全体制御部１３５は前記マッチング結果に基づき、時間帯、および当該時間帯での衛星回線に載せ替える地上系のトラフィック量を含む地上系端末接続指示を送信する（ステップＳ１１７）。なお、前記マッチング処理（ステップＳ１１６）については、図５にて詳細に説明する。
【００２７】
衛星系ネットワーク部１１内の衛星回線制御部１１３は、前記地上系端末接続指示を受信すると（ステップＳ１１８）、衛星通信システムＡで通信中の呼を切断し（ステップＳ１２０）、衛星系端末５０−１〜５０−ｎも同様に呼を切断し（ステップＳ１１９）、前記地上系端末接続指示に基づき衛星通信システムＢを選択し（ステップＳ１２１）、アンテナ制御部１１４への指令を行うことにより衛星通信システムＢへの切替を行い（ステップＳ１２２）、衛星回線Ｂの予約を行い（ステップＳ１２３）、待受け状態へ移行し（ステップＳ１２４）、地上系端末接続準備完了通知を送信する（ステップＳＳ１２５）。このように衛星回線の予約を行うことにより、確実に衛星回線を使用できるようになるものである。
【００２８】
地上系・衛星系監視制御部１３内の全体制御部１３５は、前記地上系端末接続準備完了通知を受信すると（ステップＳ１２６）、衛星系ネットワーク部への切替指示を送信する（ステップＳ１２７）。
【００２９】
地上系・衛星系切替部１４は、前記衛星系ネットワーク部への切替指示を受信すると（ステップＳ１２８）、地上系端末ゲートウェイ６１の出力を地上系ネットワーク部１２から衛星系ネットワーク部１１へ切替え（ステップＳ１２９）、発信可能である旨の情報を送信する（ステップＳ１３０）。
【００３０】
地上系端末５１−１〜５１−ｍは前記発信可能情報を受信すると（ステップＳ１３１）、発信を行い（ステップＳ１３２）、衛星通信システムＢでの通信中となる（ステップＳ１３４）。
【００３１】
衛星系ネットワーク部１１内の衛星系回線制御部は、前記発信呼を受信するとハブＢ２ｂでマルチモードＶＳＡＴ１とＶＳＡＴ４ｂ間に衛星回線の設定を行い（ステップＳ１３３）、衛星通信システムＢを用いて通信を行う（ステップＳ１３４，Ｓ１３５）。
【００３２】
図４に地上系ネットワークの復旧時におけるマルチモードＶＳＡＴ１と衛星系端末５０−１〜５０−ｎと地上系端末５１−１〜５１−ｍの動作シーケンスを示す。地上系ネットワーク部１２は、地上系ネットワーク９の復旧を検出すると（ステップＳ２０１）、復旧した時間帯を含む地上系回線復旧情報を送信する（ステップＳ２０２）。
【００３３】
地上系・衛星系監視制御部１３内の全体制御部１３５は、前記地上系回線復旧情報を受信すると（ステップＳ２０３）、前記地上系回線復旧情報を衛星系ネットワーク部１１に中継する（ステップＳ２０４）。
【００３４】
衛星系ネットワーク部１１内の衛星系回線制御部１１３は、前記地上系回線復旧情報を受信すると（ステップＳ２０５）、地上系端末接続衛星回線Ｂの切断された旨の情報を送信し（ステップＳ２０６、Ｓ２０８）、衛星回線Ｂの予約を解除する（ステップＳ２０９）。当該予約解除により、使用する予定のなくなった衛星回線を他の端末が使用できることとなり、衛星回線の資源の有効利用を図ることができるものである。
【００３５】
地上系端末５１−１〜５１−ｍは、前記地上系端末接続衛星回線の切断された旨の情報を受信すると衛星通信システムＢとの衛星回線Ｂを切断する（ステップＳ２０７）。
【００３６】
地上系・衛星系監視制御部１３内の全体制御部１３５は、前記地上系端末接続衛星回線Ｂの切断された旨の情報を受信すると（ステップＳ２１０）、通常時の接続モードへの復旧指示を送信する（ステップＳ２１１）。
【００３７】
地上系・衛星系切替部１４は、通常時の接続モードへの復旧指示を受信すると（ステップＳ２１２）、地上系端末５１−１〜５１−ｍの出力を衛星系ネットワーク部１１から地上系ネットワーク部１２に切替えることにより通常時の接続モードとし（ステップＳ２１３）、通常時の接続モードに切替が完了した情報を送信する（ステップＳ２１４）。
【００３８】
地上系・衛星系監視制御部１３内の全体制御部１３５は、前記、通常時の接続モードに切替が完了した情報を受信すると（ステップＳ２１５）、前記、通常時の接続モードに切替が完了した情報を中継する（ステップＳ２１６）。
【００３９】
地上系ネットワーク部１２内の地上系回線制御部１２１は、前記通常時の接続モードに切替が完了した情報を受信すると（ステップＳ２１７）、地上系端末５１−１〜５１−ｍの接続を開始し（ステップＳ２１８）、発信可能情報を送信する（ステップＳ２２２）。
【００４０】
衛星系ネットワーク部１１内の衛星系回線制御部１１３は、前記通常時の接続モードに切替が完了した情報を受信すると（ステップＳ２１９）、衛星通信システムＡを再度選択し（ステップＳ２２０）、衛星系端末５０−１〜５０−ｎの接続を実行する（ステップＳ２２１）。衛星通信システムＡの選択する場合（ステップＳ２２０）において、アンテナ制御部１１４への指令を行うことにより衛星通信システムＡへの切替を行うものである。
【００４１】
地上系端末５１−１〜５１−ｍは、発信可能情報を受信すると（ステップＳ２２３）、地上系ネットワーク９へ発信する旨の情報である発信情報を送信する（ステップＳ２２４）。
【００４２】
地上系ネットワーク部１２内の地上系回線制御部１２１は前記発信情報を受信すると（ステップＳ２２５）、地上系端末５１−１〜５１−ｍとの接続を実行し（ステップＳ２２６）、地上系ネットワーク９により地上系端末５１−１〜５１−ｍとの通信を行う（ステップＳ２２７、Ｓ２２８）。
【００４３】
図５は、図３のマッチング処理（ステップＳ１１６）の動作シーケンス図である。また、図８にマッチングＤＢ１３１内に格納される情報を示す。マッチング処理（ステップＳ１１６）は、マッチングＤＢ１３１内の空き衛星回線量情報１３１−１と地上系トラフィック情報１３１−２をもとに障害が発生した地上系トラフィックをどのように空き衛星回線に切替えるかを判断する処理であり、以下の通りの動作シーケンスである。
【００４４】
マッチングＤＢ１３１内の地上系トラフィック情報１３１−２を検索し、障害が発生し、通信を要求している地上系回線量Ｐ１（優先度１の回線量），地上系回線量Ｐ２（優先度２の回線量）を設定し（ステップＳ１１６−１）、マッチングＤＢ１３１内の空き衛星回線量情報１３１−１を検索し、現在の各衛星通信システムの空き回線量ＶＡ，ＶＢ及び衛星通信システム名Ｂを設定する（ステップＳ１１６−２）。ここで、優先度１は優先度２より通信を要求している優先度が高いものとする。通信を要求することは後述する図８に示す地上系トラフィック情報１３１−２に記載しているように時間帯毎に回線量を予約することにより実現されるものである。
【００４５】
現在使用中の衛星通信システムＡにおいて使用可能な空き回線量ＶＡが要求する地上系回線全ての回線量（Ｐ１＋Ｐ２）以上であれば（ステップＳ１１６−３の結果がＹＥＳ）、要求する地上系回線全てを衛星通信システムＡの衛星回線Ａの空き回線に切替えることとする（ステップＳ１１６−４）。
【００４６】
現在使用中の衛星通信システムＡにおいて使用可能な空き回線量ＶＡが障害が発生した地上系回線全ての回線量（Ｐ１＋Ｐ２）より少なければ（ステップＳ１１６−３の結果がＮＯ）、ステップＳ１１６−５に進む。
【００４７】
現在使用中の衛星通信システムＡにおいて使用可能な空き回線量ＶＡが要求する地上系回線のうち優先度１の回線量Ｐ１以上であれば（ステップＳ１１６−５の結果がＹＥＳ）、要求する地上系回線のうち、優先度１の回線を衛星通信システムＡの衛星回線Ａの空き回線に切替えることとする（ステップＳ１１６−６）。
【００４８】
現在使用中の衛星通信システムＡにおいて使用可能な空き回線量ＶＡが障害が発生した地上系回線のうち優先度１の回線量Ｐ１より少なければ（ステップＳ１１６−５の結果がＮＯ）、ステップＳ１１６−７に進む。
【００４９】
衛星通信システムＡ以外の衛星通信システムにおいて使用可能な空き回線量ＶＢが障害が発生した地上系回線全ての回線量（Ｐ１＋Ｐ２）以上であれば（ステップＳ１１６−７の結果がＹＥＳ）、衛星通信システムＡをＢに切替え、要求する地上系回線全てを衛星通信システムＢの衛星回線Ｂの空き回線に切替えることとする（ステップＳ１１６−８）。
【００５０】
衛星通信システムＡ以外の衛星通信システムにおいて使用可能な空き回線量のうち最も多い回線量ＶＢが障害が発生した地上系回線全ての回線量（Ｐ１＋Ｐ２）より少なければ（ステップＳ１１６−７の結果がＮＯ）、ステップＳ１１６−９に進む。
【００５１】
衛星通信システムＡ以外の衛星通信システムにおいて使用可能な空き回線量のうち最も多い回線量ＶＢが障害が発生した地上系回線のうち優先度１の回線量Ｐ１以上であれば（ステップＳ１１６−９の結果がＹＥＳ）、衛星通信システムＡをＢに切替え、要求する地上系回線のうち、優先度１の回線を衛星通信システムＢの衛星回線Ｂの空き回線に切替えることとする（ステップＳ１１６−１０）。
【００５２】
衛星通信システムＡ以外の衛星通信システムにおいて使用可能な空き回線量のうち最も多い回線量ＶＢが要求する地上系回線のうち優先度１の回線量Ｐ１より少なければ（ステップＳ１１６−９の結果がＮＯ）、ステップ１１６−１１に進む。
【００５３】
現在使用中の衛星通信システムＡにおいて使用可能な空き回線量ＶＡが、衛星通信システムＡ以外の衛星通信システムにおいて使用可能な空き回線量のうち最も多い回線量ＶＢ以上ならば（ステップＳ１１６−１１の結果がＹＥＳ）、要求する地上系回線のうち優先度１の回線を優先してその一部を衛星通信システムＡの衛星回線Ａの空き回線に切替えることとする（ステップＳ１１６−１２）。
【００５４】
現在使用中の衛星通信システムＡにおいて使用可能な空き回線量ＶＡが、衛星通信システムＡ以外の衛星通信システムにおいて使用可能な空き回線量のうち最も多い回線量ＶＢより少なければ（ステップＳ１１６−１１の結果がＮＯ）、衛星通信システムＡをＢに切替え、要求する地上系回線のうち優先度１の回線を優先してその一部を衛星通信システムＢの衛星回線Ｂの空き回線に切替えることとする（ステップＳ１１６−１３）。
【００５５】
ステップＳ１１６−４、Ｓ１１６−６、Ｓ１１６−８，Ｓ１１６−１０、Ｓ１１６−１２、Ｓ１１６−１３の後、要求する地上回線を空き衛星回線に切替えた結果をマッチングＤＢ１３１内のマッチング結果１３１−３に記憶する（ステップＳ１１６−１４）。なお、この後のステップＳ１１７以降は前記ステップＳ１１６−８、Ｓ１１６−１０，Ｓ１１６−１２により衛星通信システムＡをＢに切替えることとなった場合の動作フローを示すものである。また、当該動作シーケンスは地上系のトラフィック運用状況が変化したり衛星回線の空き回線量が変化するなどの状況が変化する毎に繰り返し実行されるものである。
【００５６】
図６は、図３の地上系ネットワークシステムの被災時の動作シーケンスの信号構成図である。最左列にある地上系回線障害情報（Ｄ１０１）は図３のステップＳ１１０とＳ１１１で、障害モードへの移行指示（Ｄ１１１）は図３のステップＳ１１２とＳ１１３で、複数衛星空き回線情報（Ｄ１２１）は図３のステップＳ１１４とＳ１１５で、地上系端末接続指示（Ｄ１３１）は図３のステップＳ１１７とＳ１１８で、地上系端末接続準備完了通知（Ｄ１４１）は図３のステップＳ１２５とＳ１２６で、衛星系ネットワーク部への切替指示（Ｄ１５１）は図３のステップＳ１２７とＳ１２８で送受信する信号である。
【００５７】
そして、前記最左列に示す各信号の内容はそれぞれ右列に記載されており、、地上系回線障害情報（Ｄ１０１）は情報種別（Ｄ１０２）と障害内容（Ｄ１０３）と時間帯（Ｄ１０４）と地上回線の優先度（Ｄ１０５）と地上回線のトラフィック量（Ｄ１０６）とで構成され、障害モードへの移行指示（Ｄ１１１）は情報種別（Ｄ１１２）と障害内容（Ｄ１１３）と障害系継続予測時間帯（Ｄ１１４）とで構成され、複数衛星空き回線情報（Ｄ１２１）は情報種別（Ｄ１２２）と時間帯（Ｄ１２３）と時間帯衛星回線Aの空き回線量（Ｄ１２４）と衛星回線Bの空き回線量（Ｄ１２５）と衛星回線Ｘの空き回線量（Ｄ１２６）とで構成され、地上系端末接続指示（Ｄ１３１）は情報種別（Ｄ１３２）と時間帯（Ｄ１３３）と衛星回線Bで接続するトラフィック量（Ｄ１３４）とで構成され、
地上系端末接続準備完了通知（Ｄ１４１）は情報種別（Ｄ１４２）と時間帯（Ｄ１４３）と衛星回線Bで接続するトラフィック量（Ｄ１４４）とで構成され、衛星系ネットワーク部への切替指示（Ｄ１５１）は情報種別（Ｄ１５２）と時間帯（Ｄ１５３）とで構成される。ここで、情報種別というのは前記各信号情報を識別するためのコードである。
【００５８】
図７は、図４の地上系ネットワークシステムの復旧時の動作シーケンスの信号構成図である。最左列にある地上系回線復旧情報（Ｄ２０１）は図３のステップＳ２０２とＳ２０３で、地上端末接続衛星回線Ｂの切断情報（Ｄ２１１）は図３のステップＳ２０６とＳ２０７とＳ２０８とＳ２１０で、通常時の接続モードへの復旧指示情報（Ｄ２２１）は図３のステップＳ２１１とＳ２１２で、通常時の接続モードへの切替完了情報（Ｄ２３１）は図３のステップＳ２１４とＳ２１５で、発信可能情報（Ｄ２４１）は図３のステップＳ２２２とＳ２２３で、発信情報（Ｄ２５１）は図３のステップＳ２２４とＳ２２５で送受信する信号である。
【００５９】
そして、前記最左列に示す各信号の内容はそれぞれ右列に記載されており、地上系回線復旧情報（Ｄ２０１）は情報種別（Ｄ２０２）と時間帯（Ｄ２０３）とで構成され、地上端末接続衛星回線Ｂの切断情報（Ｄ２１１）は情報種別（Ｄ２１２）と時間帯（Ｄ２１３）とで構成され、通常時の接続モードへの復旧指示情報（Ｄ２２１）は情報種別（Ｄ２２２）と時間帯（Ｄ２２３）とで構成され、通常時の接続モードへの切替完了情報（Ｄ２３１）は情報種別（Ｄ２３２）と時間帯（Ｄ２３３）とで構成され、発信可能情報（Ｄ２４１）は情報種別（Ｄ２４２）と時間帯（Ｄ２４３）とで構成され、発信情報（Ｄ２５１）は情報種別（Ｄ２５２）と時間帯（Ｄ２５３）と優先度（Ｄ２５４）とで構成される。ここで、情報種別というのは前記各信号情報を識別するためのコードである。
【００６０】
図８は、マッチングＤＢ内の情報を示す図であり、地上系ネットワーク９が障害となった場合に地上系回線を衛星回線に切替えるまでの各情報を示している。マッチングＤＢ１３１には地上系トラフィック情報１３１−２と空き衛星回線量情報１３１−１とマッチング結果情報１３１−３とから構成されており、各トラフィックは端末利用者からの要求等により、所定の時間帯ごとに帯域を割り当てられ、これに基づいて各端末が回線を利用するようにしている。ここでは説明の簡単化のため各回線の帯域は２ＭＨｚとしているが、これに限定されるものではなく、例えば１ＭＨｚの帯域を２回線使用すれば２ＭＨｚの帯域を１回線使用することと同等のものと考えてよい。
【００６１】
また、地上系トラフィック情報１３１−２は図３のステップＳ１０５やＳ１１１や図４のステップＳ２０３にて継続的に更新されているものであり、空き衛星回線量情報１３１−１は図３のステップＳ１０５やＳ１１５にて継続的に更新されているものである。ここでは説明の簡単化のため、ｈ市場系トラフィック情報１３１−２の地上系トラフィックは優先度１（Ｐ１）が２ＭＨｚ×４回線と優先度２（Ｐ２）が２ＭＨｚ×３回線に固定的になっているものとする。
【００６２】
以下、図８について図１と図５を参照しながら説明する。時間帯9:00-10:00においては地上系回線は正常であるため、各地上系端末５１−１〜５１−ｍは地上系ネットワーク９を経由する通信路Ｒａ−５とＲａ−６とＲａ−７で端末５ｂ−１〜５ｂ−ｑと通信しており、衛星系端末５０−１〜５０−ｎは衛星通信システムＡを利用する通信路Ｒａ−４とＲａ−１とＲａ−２で端末５ａ−１〜ｔａ−ｐと通信している。
【００６３】
時間帯10:00-11:00及び11:00-12:00に地上系ネットワーク９に障害が発生すると、時間帯10:00-11:00においてはＶＡは８回線でＰ１は４回線でＰ２は３回線であることから、ＶＡ≧Ｐ１＋Ｐ２であるため（図５のステップＳ１１６−３の結果がＹＥＳ）、図５のステップＳ１１６−４により、地上系トラフィックの優先度１と優先度２の回線全てが衛星回線Ａに切替えられ、使用不能となった地上系トラフィックは０回線であり、時間帯11:00-12:00においてはＶＡは２回線でＰ１は４回線であることからＶＡ＜Ｐ１であり（図５のステップＳ１１６−５の結果がＮＯ）、ＶＢが４回線でＰ１が４回線でＰ２が３回線であることからＶＢ＜Ｐ１＋Ｐ２であり（図５のステップＳ１１６−７の結果がＮＯ）、ＶＢ≧Ｐ１であるため（図５のステップＳ１１６−９の結果がＹＥＳ）、地上系トラフィックの優先度１の回線４回線が衛星回線Ｂに切替えられ、使用不能となった地上系トラフィックは優先度２の３回線となる（図５のステップＳ１１６−１０）。そして、時間帯12:00-13:00において、地上系回線のトラフィックが復旧すると地上系トラフィックは全て元の地上系ネットワーク９に切替えられることとなる。以上の地上系トラフィックが切替えられることについてマッチング結果情報１３１−３に記憶される。
【００６４】
以上説明するシステムの構成はハードウェア論理に限らず、コンピュータにより実行可能なプログラム論理として実施するようにしても良いし、プログラムを格納したプログラム記録媒体として実施するようにしても良いし、本発明の趣旨を逸脱しない限り、如何なる方法で実施するようにしても良い。
【符号の説明】
【００６５】
１  マルチモードＶＳＡＴ
１１  衛星系ネットワーク部
１２  地上系ネットワーク部
１３  地上系・衛星系監視制御部
１４  地上系衛星系切替部
２ａ、２ｂ、・・・、２ｘ  通信衛星
３ａ、３ｂ，・・・、３ｘ  ハブ（制御地球局）
４ａ、４ｂ、・・・、４ｘ  ＶＳＡＴ（地球局）
５ａ−１、・・・、５ａ−ｐ、５ｂ−１、・・・、５ｂ−ｑ、・・・、５ｘ−１、・・・、５ｘ−ｒ  端末
６０  衛星系端末ゲートウェイ
６１  地上系端末ゲートウェイ
７ａ７ｂ、・・・、７ｘ、８ａ、８ｂ、・・・、８ｘ  衛星アンテナ
９  地上系ネットワーク
【図１】
2015195531.tif 000003
【図２】
2015195531.tif 000004
【図３】
2015195531.tif 000005
【図４】
2015195531.tif 000006
【図５】
2015195531.tif 000007
【図６】
2015195531.tif 000008
【図７】
2015195531.tif 000009
【図８】
2015195531.tif 000010